(57)【要約】【課題】エレベータの乗場やかご内に設置される表示装置において、表示装置の薄型化を実現する。【解決手段】平板状の導光板の一側面又は複数の側面にＬＥＤからなる光源を設けた構成の面発光体２３ａ，２３ｂによって表示を行うことにより、表示装置を薄型化する。【選択図】        図１
2005104594.tif 000002
【特許請求の範囲】
【請求項１】
エレベータの乗場やかご内に設置される表示装置において、表面，背面及び側面を有する平板状の導光板の一側面又は複数の側面に光源を設けた構成の面発光体によって表示を行うことを特徴とするエレベータの表示装置。
【請求項２】
前記背面には、導光印刷が施されていることを特徴とする請求項１に記載のエレベータの表示装置。
【請求項３】
前記導光板は透光体からなり、背面及び前記光源の配置されていない側面には反射シートが設けられていることを特徴とする請求項１又は２に記載のエレベータの表示装置。
【請求項４】
前記導光板は、複数の小導光板に分割されており、各小導光板にはそれぞれ一側面又は複数の側面に光源が設けられていることを特徴とする請求項１乃至３の何れかに記載のエレベータの表示装置。
【請求項５】
前記光源は、発光色が異なる複数種類のＬＥＤを備え、各ＬＥＤを切り換えることによって光源の発光色が変更可能に構成されていることを特徴とする請求項１乃至４の何れかに記載のエレベータの表示装置。
【発明の詳細な説明】
【０００１】
【発明の属する技術分野】
本発明はエレベータ乗場やかご内に設置される表示装置の改良に関するものである。
【０００２】
【従来の技術】
図４に示すように、エレベータの乗場にはかご呼び登録用の乗場ボタン１、かごの位置を表示するインジケータ２、かごの到着予報、走行方向等を表示するホールランタン３などが配置されている。４は三方枠、５は乗場ドアである。また図示省略するが、かご室内にもかご操作盤やかご位置表示灯などが設置されており、これらの表示装置の光源としては白熱灯が使用される場合が多い。
【０００３】
例えば、ホールランタン３の場合、その断面は図５に示すようになっている。図において、１１はフェースプレート、１２はボックスであり、乗場壁６に空けられた穴に埋め込まれている。１３ａ，１３ｂはフェースプレート１１に固定された上下の表示透光体であり矢印などが表示されている。１４ａ，１４ｂは表示透光体１３ａ，１３ｂの裏面に取り付けられたカラーフィルタで、例えば１４ａは緑色、１４ｂは赤色である。１５ａ，１５ｂは白熱ランプ、１６は遮光壁である。１７は乗場壁６の昇降路側に固定されたプリント板ボックス、１８はボックス１２側とボックス１７側、更に図示省略した制御盤を結ぶ配線である。
【０００４】
【発明が解決しようとする課題】
この従来例では、光源として白熱ランプ１５ａ，１５ｂを使用しているため、ランプの玉切れによるランプ交換が必要で、またランプの光漏れ対策として遮光壁１６が必要であるとともに、表示透光体１３ａ，１３ｂと白熱ランプ１５ａ，１５ｂとの距離が短いときには光むらが発生するという問題がある。更にボックス１２を埋め込むために乗場壁６に大きな穴を空けなければならないという問題がある。更にまた、群管理制御でマイコン等を組込んだプリント板を使用する場合、白熱ランプの発熱の影響を避けるため、プリント板をプリント板ボックス１７に別置きしなければならないという問題もある。
【０００５】
そこで、白熱ランプに代えてＬＥＤを使用することにより、ランプ交換作業をなくするとともに、発熱を抑え、光源の小型化を実現する構成も増えている。
しかしながら、白熱ランプをＬＥＤに置き換えただけの構成では、遮光壁は必要であり、またボックス１２はある程度の厚さが必要になってくるため、乗場壁６にはボックス１２用の穴を空ける必要があった。
【０００６】
【課題を解決するための手段】
本発明は、平板状の導光板の一側面又は複数の側面にＬＥＤからなる光源を設けた構成の面発光体を使用することにより、従来技術の課題を解決するものである。
【０００７】
【発明の実施の形態】
本発明の実施の形態を図１，図２により説明する。図１は図５に相当する図、図２（ａ），（ｂ）は面発光体を示す図である。
図において、２０は本実施形態のホールランタン、２１は周囲が湾曲したフェースプレート、２２は底板、２３ａ，２３ｂは面発光体、２４はプリント板、２５はホールランタン２０を乗場壁６に固定するアンカーボルトであり、図５と同一符号は同一のものを示している。
【０００８】
３０は透明アクリルの透光体からなる導光板、３１はＬＥＤ基板に発光色の異なるＬＥＤ３２，３３が交互に配置された光源で、例えば３２は発光色が黄色のＬＥＤ、３３は同じく赤色のＬＥＤである。導光板３０の対向する二側面には光源３１が配置され、表面には表示透光体１３ａ又は１３ｂが配置されている。また、光源３１が配置された側面及び表面以外の面は遮光面になっている。更に背面３０ｒには導光印刷が施され、その外側及び側面の遮光面には反射シート３５が設けられており、面発光体２３ａ，２３ｂの表面全体が均一に光るように構成している。３４は導光板３０の表面に設けた透光性の拡散シートである。
【０００９】
本実施の形態はこのような構成であるから、白熱ランプに比べ光源からの発熱を抑えられるので、プリント板２４をホールランタン２０の本体内に組込むことができるため、プリント板ボックス１７を省略することができる。
また、白熱ランプや白熱ランプの代わりにＬＥＤを配置しただけの従来技術に比べ、ホールランタン２０をより薄型化することができる。そのため、図１のようにホールランタン２０を乗場壁６の表面に取り付ける、いわゆる壁掛式にすることが可能になり、従来必要であった乗場壁６へのボックス用の穴を省略することができる。
【００１０】
更に、面発光体２３ａ，２３ｂの側面は光源３１又は遮光面となっており、光漏れがほとんどないため、従来必要であった遮光壁１６が不要となる。また面発光体２３ａ，２３ｂは光むらがほとんどないため、表示透光体１３ａ，１３ｂを丸型など自由な形状にすることができる。
【００１１】
また、２色のＬＥＤを使用しているため、例えば、その乗場にかごが割り当てられたときには面発光体２３ａ（又は２３ｂ）を黄色に発光させ、かごの到着時には赤色に点滅発光させるなど、エレベータの運転状況に応じて表示を変えることができる。更に面発光体自体が有色発光するため、カラーフィルタを省略することができる。また逆にＬＥＤを白色としてカラーフィルタを使用するなど、ＬＥＤとカラーフィルタを組み合わせて使用することもできる。
更にまた、導光板３０の表面の拡散シート３４に矢印などの印刷を施すことにより、表示透光体１３ａ，１３ｂを省略又は単なる透明カバーに変更することも可能である。
【００１２】
図３は本発明の他の実施の形態を示す図で、図２に相当する図である。この実施の形態の特徴は、導光板４０を複数の小導光板４１に分割していることである。そして各小導光板４１の対向する両側面にはそれぞれＬＥＤ４３が位置するように光源４２が設けられている。また、導光板４０の表面の拡散シート３４には矢印の印刷が施されている。
【００１３】
この実施の形態においては、各小導光板４１を独立に点灯制御できるため、例えば、エレベータの運行状態に合わせて下方の小導光板４１から順に点灯させていくことにより、乗場の待客によりわかりやすい表示を行うことができる。
図３では、小導光板４１の両側面に１個づつのＬＥＤ４３を配置しているが、発光色の異なる複数のＬＥＤを各側面に配置することもできる。
【００１４】
以上の各説明において、導光板の対向する二側面にＬＥＤからなる光源を設けているが、光源から離れるほど光の反射が大きくなる導光印刷を施すことにより、導光板の一側面のみに光源を設けるだけでも光むらを防止することができる。
【００１５】
前記の各実施の形態では壁掛式のホールランタンについて説明したが、ボックスを有するタイプのホールランタンに適用することもできる。また、ホールランタンに限らず、乗場インジケータ２やかご内表示装置、乗場ボタン１の応答灯やかご内操作盤の応答灯等の表示灯に応用することも可能である。
【００１６】
【発明の効果】
以上説明したように、本発明によれば、表示装置を薄型にできるため、壁掛式の表示装置を実現することができる。また適度な導光印刷を施すことにより光のむらをなくし、複数色のＬＥＤの使用や導光板の分割により、各種の表示を行うことができる。
【図面の簡単な説明】
【図１】本発明の実施の形態を示す図である。
【図２】本発明の実施の形態の面発光体を示す図である。
【図３】本発明の実施の形態の他の面発光体を示す図である。
【図４】従来のエレベータの乗場を示す図である。
【図５】従来のホールランタンを示す断面図である。
【符号の説明】
１  乗場ボタン
２  インジケータ
３，２０  ホールランタン
２１  フェースプレート
２２  底板
２３ａ，２３ｂ  面発光体
２４  プリント板
３０，４０  導光板
３１，４２  光源
３２，３３，４３  ＬＥＤ
３５  反射シート
４１  小導光板
【図１】
2005104594.tif 000003
【図２】
2005104594.tif 000004
【図３】
2005104594.tif 000005
【図４】
2005104594.tif 000006
【図５】
2005104594.tif 000007